(57)【特許請求の範囲】
【請求項１】
複数の縦材や横材、足場板等を組み上げて成る仮設足場に取り付けられる昇降用梯子の固定金具であって、仮設足場の横材に係止する略Ｕ字形状の係止片と、梯子の脚柱を抱持する略コ字形状の抱持片とを、それぞれの開口部側が対向するように配置し、かつ前記係止片と抱持片とを所定長さの螺子体にて螺着し、該螺子体の締緩操作に応じて係止片と抱持片との間隔を調整自在となし、梯子を仮設足場に固定するときには、前記係止片を仮設足場の横材に係止させる一方、抱持片にて梯子の脚柱を抱持させ、かつ螺子体を操作して抱持片を係止片側に近接させ、梯子の脚柱を仮設足場の横材と抱持片とで挟持させて固定するように構成したことを特徴とする梯子固定金具。
【発明の詳細な説明】
【技術分野】
【０００１】
本発明は、工事現場や建築現場等に設置される仮設足場に対して取り付けられる昇降用梯子を固定する梯子固定金具に関する。
【背景技術】
【０００２】
一般に、工事現場や建築現場等には、工事作業用に、複数の鋼製の縦材や横材、足場板等を組み上げて成る仮設足場が設置される。前記仮設足場では、工事の規模や進捗等に応じて複数階層の足場が構築されると、作業者の上下階層への昇降用に、例えば仮設式の階段や梯子等が取り付けられることがある。
【０００３】
従来、梯子を仮設足場に取り付ける場合、例えば単純に梯子を仮設足場に立て掛けた状態で、梯子の脚柱と仮設足場の縦材や横材等とを番線等にて結束して固定するようにしているが、梯子の取り付け・取り外しの度に番線をいちいち結束・解除する必要があり非常に煩わしくて作業効率が悪い上、番線が緩むようなことがあれば梯子がぐらついて不安定となり安全面においても問題を有していると懸念される。
【０００４】
一方、上記問題に対し、例えば梯子の脚柱等に係止クランプを固着し、該係止クランプを仮設足場の横材等に係止させることで梯子を取り付けるようにしたものが提案されている（特許文献１、２参照）。上記提案によれば、係止クランプの締緩操作にて梯子の取り付け・取り外しを比較的容易に行えて作業効率に優れていると共に、係止クランプによって足場部材に確実に固定でき安全面でも優れていると予想される。
【先行技術文献】
【特許文献】
【０００５】
【特許文献１】特開平９−３２４５３０号公報
【特許文献２】実開平６−２８０９０号公報
【発明の概要】
【発明が解決しようとする課題】
【０００６】
しかしながら、上記提案にあっては、既存の梯子に代えて、梯子の脚柱等に一つ乃至複数の係止クランプを固着して成る専用の梯子を採用しているため、コスト面において不利であることが懸念される。
【０００７】
本発明は上記の点に鑑み、仮設足場に対して梯子を容易に取り付け・取り外しができ、かつ足場部材に確実に固定ができると共に、簡易な構成で安価な梯子固定金具を提供することを課題とする。
【課題を解決するための手段】
【０００８】
上記の課題を解決するために、本発明に係る梯子固定金具では、複数の縦材や横材、足場板等を組み上げて成る仮設足場に取り付けられる昇降用梯子の固定金具であって、仮設足場の横材に係止する略Ｕ字形状の係止片と、梯子の脚柱を抱持する略コ字形状の抱持片とを、それぞれの開口部側が対向するように配置し、かつ前記係止片と抱持片とを所定長さの螺子体にて螺着し、該螺子体の締緩操作に応じて係止片と抱持片との間隔を調整自在となし、梯子を仮設足場に固定するときには、前記係止片を仮設足場の横材に係止させる一方、抱持片にて梯子の脚柱を抱持させ、かつ螺子体を操作して抱持片を係止片側に近接させ、梯子の脚柱を仮設足場の横材と抱持片とで挟持させて固定するように構成したことを特徴としている。
【発明の効果】
【０００９】
本発明に係る梯子固定金具によれば、仮設足場の横材に係止する略Ｕ字形状の係止片と、梯子の脚柱を抱持する略コ字形状の抱持片とを、それぞれの開口部側が対向するように配置し、かつ前記係止片と抱持片とを所定長さの螺子体にて螺着し、該螺子体の締緩操作に応じて係止片と抱持片との間隔を調整自在となし、梯子を仮設足場に固定するときには、前記係止片を仮設足場の横材に係止させる一方、抱持片にて梯子の脚柱を抱持させ、かつ螺子体を操作して抱持片を係止片側に近接させ、梯子の脚柱を仮設足場の横材と抱持片とで挟持させて固定するように構成したので、仮設足場に対する梯子の取り付け・取り外しが容易に行えて作業効率に優れ、足場部材に確実に固定できて安全性も高く、また簡易な構成でかつ既存の梯子をそのまま利用可能であるためコスト面において有利である。
【図面の簡単な説明】
【００１０】
【図１】本発明に係る梯子固定金具の一実施例の（ａ）正面図、（ｂ）平面図、（ｃ）側面図である。
【発明を実施するための形態】
【００１１】
本発明に係る梯子固定金具によれば、仮設足場の横材に係止可能な略Ｕ字形状の係止片と、梯子の脚柱を抱持可能な略コ字形状の抱持片とを、それぞれの開口部側が対向するように配置し、かつこれら係止片と抱持片とを所定長さの一本の螺子体にて螺着しており、該螺子体の締緩操作に応じて係止片と抱持片との間隔を調整自在となしている。
【００１２】
そして、工事現場や建築現場等に設置される仮設足場に梯子を取り付けるときには、先ず、梯子を仮設足場の所望位置に立て掛けて、係止片を仮設足場の横材に係止させる一方、抱持片にて梯子の脚柱をかるく抱持させる。そして、その状態から螺子体を締め付け方向に操作して抱持片を係止片側に近接させ、梯子の脚柱を仮設足場の横材と抱持片とで挟持させて固定する。次いで、同様の手順にて梯子の他方の脚柱も固定金具にて横材に固定させ、仮設足場への梯子の取り付け作業を完了する。
【００１３】
このとき、梯子の各脚柱は、何れも固定金具の抱持片と仮設足場の横材とで隙間無く挟持された状態で堅固に固定されるため、使用中に緩んでぐらつくようなおそれもなく、高い作業安全性を確保することができる。
【００１４】
一方、仮設足場から梯子を取り外すときには、上記手順と逆の手順で行えばよく、先ず、螺子体を緩める方向に操作して抱持片を係止片から離間させ、梯子の一方の脚柱を挟持状体から解放する。そして、係止片による仮設足場の横材への係止を解除し、固定金具を梯子の脚柱から取り外す。次いで、同様の手順にて梯子の他方の脚柱の固定金具も取り外し、仮設足場からの梯子の取り外し作業を完了する。
【００１５】
このように、本発明の梯子固定金具によれば、仮設足場への梯子の取り付け・取り外しが容易に行えて作業効率がよく、足場部材への固定も堅固で使用中に緩むようなおそれもなくて安全性も高く、また固定金具自体の構成も簡易でかつ既存の梯子をそのまま利用できてコストを低廉に抑えられ、比較的採用のし易いものとなっている。
【実施例】
【００１６】
以下、本発明の実施例を図面に基づいて説明する。
【００１７】
工事現場や建築現場等には、複数の鋼製の縦材や横材、足場板等を組み上げて成る仮設足場が設置され、該仮設足場には作業者の昇降用の梯子Ａが取り付けられている。前記梯子Ａは、一対の脚柱Ｂと、各脚柱Ｂ間に所定間隔にて架設される複数のステップ材Ｃとから構成される、既存の一般的な梯子部材である。
【００１８】
図中の１は前記梯子Ａを仮設足場に固定する鋼製の梯子固定金具であって、仮設足場の横材Ｌに係止可能な側面視略Ｕ字形状の係止片２と、梯子Ａの脚柱Ｂを抱持可能な平面視略コ字形状の抱持片３とを、図に示すように、それぞれの開口部側が対向するように配置し、かつこれら係止片２と抱持片３とを所定長さの一本の螺子体４にて螺着している。
【００１９】
前記螺子体４は所定長さを有する雄螺子４ａと雌螺子４ｂとから成り、雄螺子４ａには外周面に抱持片３を固着した短管５を摺動自在に遊嵌している一方、雌螺子４ｂの外周面には係止片２を固着しており、雄螺子４ａの締緩操作に応じて螺子体４の長さを調整することにより、係止片２と抱持片３との間隔を調整可能としている。
【００２０】
そして、上記構成の梯子固定金具１にて仮設足場に梯子Ａを取り付けるときには、先ず、梯子Ａを仮設足場の所望位置に立て掛けて、梯子Ａの脚柱Ｂを仮設足場の横材Ｌに当接させた上で、固定金具１一端側の雌螺子４ｂに固着した係止片２を仮設足場の横材Ｌに係止させる一方、固定金具１他端側の雄螺子４ａに遊嵌した短管５の抱持片３にて前記梯子Ａの脚柱Ｂをかるく抱持させる。そして、その状態から雄螺子４ａを締め付け方向に操作することにより、遊嵌した短管５を係止片２側に押し込むようにして徐々に近接させていき、最終的には梯子Ａの脚柱Ｂを仮設足場の横材Ｌと、図中の実線で示される、短管５の抱持片３とで挟持させて固定させる。次いで、同様の手順にて梯子Ａの他方の脚柱Ｂも別に用意した固定金具１にて横材Ｌに固定させ、仮設足場への梯子Ａの取り付け作業を完了する。
【００２１】
このとき、梯子Ａの各脚柱Ｂは、図に示されるように、何れも固定金具１の抱持片３と仮設足場の横材Ｌとで隙間無く挟持された状態で堅固に固定されるため、例え使用中に強い衝撃等が加わっても緩んでぐらついたり外れたりするようなおそれもなく、高い作業安全性を安定して確保することができる。
【００２２】
一方、仮設足場から梯子Ａを取り外すときには、上記手順と逆の手順で行えばよく、先ず、雄螺子４ａを緩めた後、図中の二点鎖線で示されるように、遊嵌した短管５を係止片２から離間する側へ摺動させ、梯子Ａの一方の脚柱Ｂを挟持状体から解放させる。そして、雌螺子４ｂの係止片２による仮設足場の横材Ｌへの係止を解除し、固定金具１を梯子Ａの脚柱Ｂから取り外す。次いで、同様の手順にて梯子Ａの他方の脚柱Ｂの固定金具１も取り外し、最後に梯子Ａを仮設足場から取り外して作業を完了する。
【００２３】
このように、本発明の梯子固定金具１によれば、仮設足場に対する梯子Ａの取り付け・取り外し作業が容易で作業効率に優れ、足場部材へ堅固に固定ができて作業安全性も高く、また固定金具自体がごく簡易な構成でかつ既存の一般的な梯子部材をそのまま利用でき、比較的安価なコストにて実現できて採用のし易い好適なものとなる。
【符号の説明】
【００２４】
１…梯子固定金具                  ２…係止片
３…抱持片                        ４…螺子体
４ａ…雄螺子                      ４ｂ…雌螺子
５…短管
Ａ…梯子                          Ｂ…脚柱（梯子）
Ｃ…ステップ（梯子）              Ｌ…横材（仮設足場）
【図１】
0005633969.tif 000002